(57)【要約】【課題】  設置および、換気や水遣り作業が容易で、低コストで、コンパクトで利便性の良く、使用に充分な強度があり、防虫対策が行えて、且つ遮光管理も行える家庭菜園向けの植物栽培用簡易ハウスを提供する。【解決手段】  屋根及び側壁が一体となっていて、屋根相当部または側壁相当部に開けられた孔で換気や水遣りを行い、また、２つハウスを重ねて使用することで、換気量や遮光量のコントロールを行うことを特徴とする。【選択図】図１
2020054324.tif 000002
【特許請求の範囲】
【請求項１】
屋根及び側壁が一体となり、屋根相当部や側壁相当部に孔が開いていることを特徴とする植物栽培用簡易ハウス。
【請求項２】
前記ハウスの内表面の凹凸が、外表面の凹凸より大きいことを特徴とする請求項１記載の植物栽培用簡易ハウス。
【請求項３】
前記ハウスの底部の周辺に、鍔（つば）が取りつけられていることを特徴とする請求項１ないし２のいずれかに記載の植物栽培用簡易ハウス。
【請求項４】
前記ハウスの屋根中央部に突起状のつまみが付いていることを特徴とする請求項１ないし３記載の植物栽培用簡易ハウス。
【請求項５】
前記ハウスの底から、頂点または天頂陵線に向かって、凹溝または、凸稜が形成されていることを特徴とする請求項１ないし４のいずれかに記載の植物栽培用簡易ハウス。
【請求項６】
前記ハウスの同一箇所の外表面と内表面に、同形の凸部と凹部が形成されていることを特徴とする請求項１ないし５のいずれかに記載の植物栽培用簡易ハウス。
【請求項７】
前記ハウスの屋根相当部に窪みがあり、窪み部に複数の孔が開いていることを特徴とする請求項１ないし４のいずれかに記載の植物栽培用簡易ハウス。
【請求項８】
前記ハウスに閉ループの不連続な切込みが敷設されていることを特徴とする請求項１ないし７のいずれかに記載の植物栽培用簡易ハウス。
【請求項９】
前記ハウスが、特定の太陽光の波長を透過又は遮断する材料で作られている特徴とする請求項１ないし８のいずれかに記載の植物栽培用簡易ハウス。
【請求項１０】
前記ハウスに遮光材または光反射材が敷設されていることを特徴とする請求項１ないし８のいずれかに記載の植物栽培用簡易ハウス。
【発明の詳細な説明】
【技術分野】
【０００１】  本発明は、家庭菜園などの植物栽培に用いられる簡易ハウスに関するものである。
【背景技術】
【０００２】  野菜には、寒冷、高温、雨、雪、霜  冷風、強風、さらには、害虫や病害に対して対策を施さなければならないものが多く、生育過程に対応した適切な管理が要求される。そのため、家庭菜園では、一般に湾曲した支柱の両端を地面に挿して、その上にビニールシートで覆うトンネルハウスが用いられている。【０００３】  種まきから育苗の間は、季節特有の温度や日中と夜間の温度変化、或いは乾燥から守るため、ビニールシートの一部を開閉して、トンネル内の換気や水遣り、或いは追肥や薬剤投与が行われている。ビニールの押えを外し、ビニールを持ち上げ、適切な高さに固定して行われるが、ビニールを元に戻す作業も含めて、労力の要る作業であった。これに対処するため、過去にいくつかの提案がなされてきた。【０００４】  特許文献１では、湾曲支柱と同形の支柱押さえを用意し、その間にビニールを挟んで固定している。止め具を外して押さえの湾曲支柱を持ち上げることで、ビニールの掛け外しや交換を簡単に行うことができる。
特許文献２には、温度変化で形状記憶合金が伸び縮む性質を利用して、ビニールの一部を自動開閉させるビニールトンネルハウスが示されている。ビニールの上げ下げが自動で行なわれるので、換気の作業を容易にしている。
特許文献３は、排水口のある発泡スチロールの底板に、骨組みを固定して、その上を防虫ネットで覆い、さらにビニールシートを被せたものを提供している。設置が容易で、ベランダにそのまま置けるメリットがある。
特許文献４は、支柱アーチとビニールをマジックテープで止めるので、容易なビニールシートの脱着固定を実現している。
【先行技術文献】
【特許文献】
【０００５】
【特許文献１】特開昭６１−１４６１２７号公報
【特許文献２】特開平１−２２５４２６号公報
【特許文献３】特開２０１０−１９３７７１号公報
【特許文献４】特開２０１６−１９８０７９号公報
【発明の概要】
【発明が解決しようとする課題】
【０００６】    労力の要るビニールトンネルハウスの換気作業やシートの取替えを改善するためのいくつかの提案がなされてきた。しかしながら、次のような問題があった。
特許文献１は、ビニールの掛け外しを容易に行える方法であるが、換気や水遣りにはビニールの一部を持ち上げるため、押さえの湾曲支柱を取りはず手間が加わっているため、大きな効果が出せない方法であった。押さえ支柱のコストが余分にかかることもデメリットとなっていた。
特許文献２は、換気の作業を容易にしているが、形状記憶合金コイル、フック、懸垂棒、クランプ部材、重り、ゴムひもなどの付帯設備と金具が必要であるため、その設置作業は煩雑であった。部材のトータルコストが高額となることも難点であった。
特許文献３は、設置が容易で、ベランダにもそのまま置けるメリットがあるが、半面、発泡スチロールの構造体が必要で、高価なハウスとなっていた。また、市販の栽培部品やプランターが使えないので、野菜のサイズや株数に対応するような小回りが効くものではなかった。
特許文献４は、マジックテープで支柱アーチとビニールを止めるので、簡単にビニールシートを固定できるメリットがあるが、マジックテープ付きの専用アーチと専用ビニールシートが必要で、特にマジックテープが貼り付けたビニールシートの低コスト化に問題があった。【０００７】  上述のように、先行技術は、煩雑で労力の要る換気作業の発明が中心であるが、家庭菜園で使われるビニールトンネルハウスは、その他にもいくつかの問題を抱えている。上記を含めて以下に、問題を整理する。【０００８】  第１に、上記にも述べた換気、水遣り、或いは追肥の作業の労力の問題である。これらの作業は煩雑で、ビニールの押えを外し、ビニールを持ち上げ、適切な高さで固定して行われる。換気や水遣りの作業が簡単にできる植物栽培用のハウスが望まれていた。【０００９】  第２に、小回りの効き難さである。規模が小さい家庭菜園では、一株だけ、或いは数株だけを植えることが多いが、面積的に市販のビニールトンネルハウスが適用できなかったり、無駄なスペースを占有したりする事態になることがあった。家庭菜園やベランダ栽培に適したコンパクトで融通の利く植物栽培用のハウスが望まれていた。【００１０】  第３に、強度の問題である。ビニールトンネルハウスは、地面に２点で突き刺した湾曲支柱列でビニールを支えているが、構造上、トンネル方向には強度不足で、強風や、雪の重みで垂れ下がるビニールを支えきれずに傾き、ひどい場合は倒壊することもあった。悪天候に強い植物栽培用のハウスが望まれていた。【００１１】  第４に、ツル野菜の育苗に適したビニールトンネルハウスがないことである。冬季に育苗するサヤエンドウなどは、ビニールトンネルハウスの中で支柱を立てられないので、理想的な温度環境が作れないという問題があった。支柱が立てられる植物栽培用のハウスが望まれていた。【００１２】  第５に、防虫の問題である。換気のために、ビニールを開けておくと、害虫に侵入される可能性が高くなる。特許文献３で、支柱の上に防虫目的のネットを掛け、さらに温室目的のビニールを掛ける構造が示されているが、ネット張りとビニール張りと二重の手間がかかるというデメリットがあった。防虫管理を簡単に行える植物栽培用のハウスが望まれていた。【００１３】  第６に、太陽光の制御管理の問題である。気温が高い季節に発芽や育苗する野菜は、日陰が要求される時期がある。ビニールトンネルハウスでは、ビニールと遮光シートとを選択しながら管理しているが、天候によって頻繁に遮光レベルを調整することは、煩雑で労力が要る作業であった。遮光管理を簡単に行える植物栽培用ハウスが望まれていた。
一方では、太陽光は、連続スペクトラムを有しており、その中の波長を積極的に利用することが、育苗に有効なことが最近分かってきている。しかしながら、そのような育苗を家庭菜園でも簡単に行えるものが無かった。野菜に当てる太陽光のスペクトラムを制御できる植物栽培用ハウスが望まれていた。
本発明は、これらの問題を解決するためになされたものである。
【課題を解決するための手段】
【００１４】  上述した問題を解決するために発明された植物栽培用簡易ハウスは、次のような形態を備えることを特徴としている。
第１に、屋根及び側壁が一体となり、屋根相当部や側壁相当部に孔が開いているハウスであることを特徴としている。
第２に、ハウスの内表面の凹凸が、外表面の凹凸より大きいことを特徴としている。
第３に、ハウスの底部の周辺に、鍔（つば）が取りつけられていることを特徴としている。
第４に、ハウスの屋根中央部に突起状のつまみが付いていることを特徴としている。
第５に、ハウスの底から、頂点または天頂陵線に向かって、凹溝または、凸稜が形成されていることを特徴としている。
第６に、ハウスの同一箇所の外表面と内表面に、同形の凸部と凹部が形成されていることを特徴としている。
第７に、ハウスの屋根相当部に窪みがあり、窪み部に複数の孔が開いていることを特徴としている。
第８に、ハウスに、閉ループの不連続な切込みが敷設されていることを特徴としている。
第９に、ハウスが、特定の太陽光の波長を透過又は遮断する材料で作られている特徴としている。
第１０に、ハウスに、遮光材または光反射材が敷設されていることを特徴としている。
【発明の効果】
【００１５】  請求項１記載の発明に於いて、屋根と側壁が一体となっていて、その屋根相当部または側壁相当部に、孔が敷設されてある植物栽培用のハウスを提供している。孔は、換気用の孔であったり、追肥などを行うための孔であったりと目的に応じて敷設される。
育苗時の野菜の大きさに合ったハウスを選択することにより、数株しか作らない家庭菜園でも株毎に、或いは野菜株のグループ単位で設置できるので、コンパクトで利便性の良いものとなっている。屋根と側壁が一体で作られているので、充分な強度を保有して、且つトータルコストで低コスト化を実現している。風雨から受けた力は全体に沿って均一に分布され、負荷が効率的に分配されている。また、換気用の孔を小さくして多数個にすることにより、害虫からハウスを守る効果を生み出せる。加えるに、天頂に孔が開いているハウスは、その孔から支柱を挿入できるので、つる性の野菜の育苗を可能にしている。【００１６】  ハウスを重ねて収納できるようにしておくと、収納スペースが大きくならない。そのためには、ハウスの屋根の頂点から底部の開口部に向かって、ハウス内面の水平断面積が漸次広くなるような形状をとるのが望ましい。また、そのような構造は、ハウスの上方ほど風の抵抗を受けにくく、風を受け流せるというメリットもある。【００１７】  請求項２記載の発明において、ハウスの内表面に凹凸をつけることを提供している。雨などに濡れたハウスを重ねて収納すると、入り込んだ水がハウス間の隙間に入ったままになり、取り外し難くなるが、ハウスの内表面に凹凸をつけることによって、水が抜けやすくなり、且つ接触面の減少による摩擦低下で、重ねておいたハウスの取り外しが容易になる。ハウスの面同士が貼りつかないためには内表面の表面粗さが１０ミクロンメートル以上であることが望ましい。反対にハウスの外表面の方は、汚れ防止の観点から、表面粗さが１ミクロンメートル以下のスムースな面が望ましく、撥水処理されてあればさらに良い。【００１８】  請求項３記載の発明に於いて、ハウスの下部に鍔（つば）があるハウスを提案している。ハウスを土の上に載せた後、この鍔（つば）の部分に土を被せることによって、風に飛ばされ難いハウスとなる。鍔（つば）は、収納時の洗浄や重ね収納性の観点から、水平または下向きが望ましい。【００１９】  請求項４記載の発明に於いて、ハウスの屋根中央部につまみが付いているハウスを提供している。このつまみを指で持つことにより、ハウスの取り外し、回転、移動が容易にでき、特に、換気調整で使用する時の回転を容易にしている。つまみの形は、収納時の洗浄や重ね収納性の観点から、上すぼみのものが望ましい。【００２０】  請求項５記載の発明に於いて、ハウスの底から、天頂に向かって、凹溝または、凸稜を敷設して、強度を強めた植物栽培用のハウスを提供している。凹溝や凸稜は、構造的に強度が弱い箇所に敷設される。本発明により、大型、或いは長尺ハウスの提供を可能にしている。【００２１】  請求項６記載の発明に於いて、ハウスの同一箇所の外表面と内表面に、同形の凸部と凹部が形成されているハウスを提供している。このようなハウスは、２個重ねた時に凸部と凹部とがしっかり噛み合っているため、風や衝撃で、重ねたハウスが動いたり飛んだりすることへの耐性を高める効果がある。【００２２】  請求項７記載の発明に於いて、ハウスの屋根に窪みがあり、窪み部に複数の孔が敷設された構造を提供している。本構造により、ハウスを持ち上げることなく、ハウスの上から水���りを行うことができる。屋根に注がれた水は、屋根の窪みに溜り、窪みの底の孔から、シャワーのごとくに野菜に注がれる。【００２３】  請求項８記載の発明に於いて、不連続な閉ループの切り込みを入れたハウスを提供している。切り込みの不連続部分の間隔を適切にすることにより、指で押して穴が開けられるので、予め切り込みを入れておくことで、通気量を増やしたい場合や、つる野菜のための支柱を立てたい場合に、簡便に対応できる。【００２４】  請求項９記載の発明に於いて、特定の太陽光の波長のみを透過する材料で作られたハウスを提供している。特定の波長を持つ光は、植物の育苗時の成長に関与し、成長を促進させる効果がある。また、ハウスの中を特定の波長を持つ光だけにすると、昆虫がハウスの中に入って来なくなる。本発明で、植物の成長を促進させたり、害虫から植物を守ったりすることが簡単にできるようなる。コンパクトであるので家庭菜園で有用だが、多種の透過光と野菜とで実験をする農業試験場のような施設では、多条件の実験が簡易にできるようになる。【００２５】  請求項１０記載の発明に於いて、遮光材が敷設されているハウスを提供しているので、育苗期に、遮光が必要な野菜に対して容易に対応できるようになる。透明なハウスをベースのハウスにしておき、遮光が必要な時に、遮光機能のあるハウスをその上に置いてもよい。遮光機能ハウスを部分遮光にして、２重に重ねて使うと、回転方向に相互位置をずらして容易に日照量を調整できる。
遮光材が光反射の性質を持つ場合は、害虫の忌避性を高めることができる。アブラムシなどは、きらきら輝くものに近寄ってこない性質がある。
【図面の簡単な説明】
【００２６】
【図１】本発明の１実施形態の植物栽培用簡易ハウスを表す斜視図である。
【図２】本発明の１実施形態の植物栽培用簡易ハウスを表す斜視図である。
【図３】本発明の１実施形態の植物栽培用簡易ハウスを表す斜視図である。
【図４】本発明の１実施形態の植物栽培用簡易ハウスを表す斜視図である。
【図５】本発明の１実施形態の植物栽培用簡易ハウスの使用例を表す側面図である。
【図６】本発明の１実施形態の植物栽培用簡易ハウスの使用例を表す側面図である。
【図７】本発明の１実施形態の植物栽培用簡易ハウスを表す斜視図である。
【図８】本発明の１実施形態の植物栽培用簡易ハウスを表す斜視図である。
【図９】本発明の１実施形態の植物栽培用簡易ハウスを表す斜視図である。
【図１０】本発明の１実施形態の植物栽培用簡易ハウスを表す側面断面図である。
【図１１】本発明の１実施形態の植物栽培用簡易ハウスを表す斜視図である。
【図１２】本発明の１実施形態の植物栽培用簡易ハウスを表す側面図である。
【図１３】本発明の１実施形態の植物栽培用簡易ハウスを表す斜視図である。
【図１４】本発明の１実施形態の植物栽培用簡易ハウスを表す側面図である。
【図１５】本発明の１実施形態の植物栽培用簡易ハウスを表す側面断面図である。
【図１６】本発明の１実施形態の植物栽培用簡易ハウスを表す側面断面図である。
【図１７】本発明の１実施形態の植物栽培用簡易ハウスの表面の表面図である。
【図１８】本発明の１実施形態の植物栽培用簡易ハウスを表す側面図である。
【図１９】本発明の１実施形態の植物栽培用簡易ハウスを表す側面図である。
【図２０】本発明の１実施形態の植物栽培用簡易ハウスを表す側面図である。
【発明を実施するため形態】
【００２７】  以下、本発明の実施形態について図面に基づいて説明する。
図１から図９は、請求項１の発明を説明するためのものである。図１は、屋根相当部と側壁相当部が一体となっていて、その側壁に、複数の換気孔２、及び作業孔３が開いている植物栽培用のハウスである。従来の湾曲支柱を立ててその上を覆ったビニールトンネルハウスと異なり、一体型でコンパクトである。このハウスを、蒔いた種や野菜の上に置くだけでよいので、設置が容易である。換気量を変える時には、換気孔２のサイズが適切なハウスに簡単に交換できる。ハウス１の背面に描いてある作業孔３は、ハウスを動かさずに、水遣りや追肥などの手入れを可能とするもので、手が入る大きさが望ましい。作業孔３は必要がなければ、無くとも構わない。換気孔２は、一個でも複数でも構わないが、その孔径を小さくすると、害虫が入れなくなるので、育苗時の防虫が行える。ハウスは、透明な塩化ビニールや、ポリエステルなどの薄いシートをプレス成形、真空成形、或いはインジェクション成形などの成形装置で作られるので、一体ものであり、且つ形状が概ドーム型をしているので、園芸に充分な強度を持っている。ハウス材の厚みは、サイズや材料にもよるが、強度面からは０．２ミリメートル以上の厚みが望ましい。
【００２８】  図２は、多角形の形状を持つ植物栽培用のハウスの例である。図１のドーム型と同じ機能を有するが、多角形にすることで、換気孔の位置を明示し易い。列状にハウスを並べた時に、開孔向きを整列させたい時などに使われる。
【００２９】  図３は、列になって植えられた野菜のために用意された植物栽培用のハウスの例である。ドーム型のハウスが横に引き伸ばされて長細くなった形状をしている。この実施例では、多数の換気孔が敷設されてある。
【００３０】  図１から図３のどの形もハウスの内面を水平面で切った時の断面積が、底部ほど断面積が大きく、天井にいくにつれて断面積が漸次小さくなるように作られている。これにより、複数個の植物栽培用のハウスをきっちりと重ねることができるので、場所を取らず収納できる。
【００３１】  図４は、天頂に円形の天頂孔４の開いたハウスの１実施例であり、天頂孔４に支柱を通すことにより、つる性の野菜の育苗を可能にしている。育苗されていた野菜が成長して、ハウスを外す時期になったら、ハウス１をそのままの姿勢で垂直に持ち上げて外せるので、つるや野菜を痛めることはない。天頂孔のある植物栽培用のハウスは、つる性の野菜に限定せず、天頂孔を換気孔として使用してもよいし、支柱を介してハウスが強風で飛ばされないようにするという活用もある。
【００３２】  図５から図６は、実際に使用されている様子を模擬的に示したものである。図５は、ハウス１の中で、キャベツが強風や雨に直接当たらず、適切な換気を得ながら、青虫を持ち込む蝶などの被害に遭わずに、すくすく育っている様子が描かれている。
図６は、天頂孔４が敷設されている植物栽培用のハウス１を用いて、サヤエンドウの育苗をしている様子である。天頂孔４に支柱１７を通して、サヤエンドウのつるの支柱としている。従来のビニールトンネルでは支柱を立てることができなかったが、本発明によりハウス内の支柱育成が可能となっている。
【００３３】  図７から９は、植物栽培用のハウス１の上に、第２ハウス９を被せて使った時の１実施例である。
図７は、ハウス１に第２ハウス９を被せることにより、ハウス全体の強度を強くしていることを示している。第２ハウス９は、可能な限り、ハウス１の屋根相当部の形とサイズに合ったものにしておくと、強度が向上するだけでなく、風などにも飛ばされ難くなる。効果をしっかりしたものにするには、ハウス１の外周部と第２ハウス９の内周部の接触隙間は２ミリメートル以内であるのが望ましい。
【００３４】  図８は、ハウス１に第２ハウス９を被せ、第２ハウス９を回転させると、ハウス１と第２ハウス９の換気用孔の重なり具合で、換気量をコントロールする様子を示している。
【００３５】  図９は、長細い植物栽培用のハウス１における第２ハウス９を重ねる時の様子を示している。換気孔２の数や大きさ変えた第２ハウスをいくつか用意し、気候に応じたものを用いて換気量をコントロールする。
【００３６】  図１０は、請求項２の発明を説明するためのものである。２個のハウスを重ねて保管した時の断面が示され、ハウスの内表面１１が外表面１２よりも凹凸になっている。この凹凸により、重ねた時の外表面１２と内表面１１の間隙を、点接触を含みながらも一定の距離で保ち、入り込んだ水の水はけを良くして、ハウス同士のくっつきを予防し、さらに、ハウス表面同士の接触面積の減少で摩擦係数が小さくなり、取り出しや回転を容易にしている。内表面の凹凸は表面粗さが１０ミクロンメートル以上であることが望ましく、成形金型に加飾パターンを敷設して、ハウス成形時につけられている。
【００３７】  図１１は、請求項３の発明を説明するためのものである。植物栽培用のハウスの底部の周辺に、一体成形した鍔（つば）６が取りつけられてある。このハウスを土の上に置いた後、鍔（つば）６の部分の土を被せることによって、ハウスをしっかり固定することができる。鍔（つば）は、ハウスを積み重ねて収納する時に障害とならない。
【００３８】  図１２は、請求項４の発明を説明するためのものである。ハウス１の天頂に突起上のつまみ１３が敷設されてあり、このつまみ１３を指で持つことによりハウスの取り扱いを容易にするものである。また、このハウスを他のハウスの上から被せる第２ハウスとして使用する場合は、つまみ１３を片手の指で持って回転させる。２つのハウスの換気孔の重なり具合を変えて通気面積を変化させるので、換気調整を容易にすることができる。このようなつまみがなければ、ハウスは両手を使わないと、持ち上げたり回転させたりすることは難しい。重ねて収納することを考慮すると、つまみ１３は、上すぼみの形にしておくのが望ましい。
【００３９】  図１３は、請求項５の発明を説明するためのものである。横長の植物栽培用のハウスにおいて、雪などの重みの負荷のかかる箇所に、ハウス１の底から頂点または天頂陵線に向かって、凸稜または、凹溝となる湾曲梁（はり）７を成形しておくと、ハウスの強度が強くなり、形状維持性が向上する。湾曲梁（はり）７によって、列になって植えられた野菜用のハウスの提供を可能とした。湾曲梁（はり）は、横長のハウスだけでなく、他の形状に適用することも可能である。
【００４０】  図１４と図１５は、請求項６の発明を説明するためのものである。ハウス１の屋根相当部から側壁相当部にかけて、同一箇所に凸部１４が敷設されてある。図１５は、図１４の凸部１４を通るＡ―Ａ’断面図であり、凸部１４位置の内表面は、同形の凹部１５となっている。このハウスを重ねると、互いのハウスの凸部と凹部が嵌めあう構造となっている。上になるハウスを第２ハウスと呼ぶとすると、ハウス同士がしっかりと嵌め合っているため、第２ハウスの風や衝撃への抵抗力が高められている。さらに、このような凸部と凹部のセットを点対象に複数個おけば、第２ハウスにとって、デジタル的に容易に重ね位置を決められる回転位置ガイドにもなる。
【００４１】  図１６は、請求項７の発明を説明するための一つの事例である植物栽培用のハウスの断面である。植物栽培用のハウスの屋根の中央に大きな天頂窪み５があり、天頂窪み５に複数の直径１ミリメートルほどの小さな散水孔８が開いている。ハウスの上から水遣りを行うと、水が天頂窪み５に溜まり、さらに、散水孔８からハウスの中に散水される。散水孔の総面積が、じょうろの散水孔の総面積より大きければ、じょうろを使ってスムースの給水できる。天頂窪みの底は平面でも曲面でも構わないが、平面、もしくは中央部がやや下がっているほうが均等散水という面から望ましい。また、天頂窪みは、円形でなくともよい。図３のような長細い植物栽培用のハウスの場合は、細長い形が相応しいし、天頂窪みを何列か並べてもよい。
【００４２】  図１７は、請求項８の発明を説明するための一つの事例であり、ハウス１に付けられた円形の不連続な切り込み１０を図示したものである。切り込みの不連続部分の間隔を適切にすると、指で押して穴を開けることができる。通気量を増やしたい場合や、つる野菜のための支柱を立てたい場合に、簡便に対応できる。図１７の実施例では、０．４５ミリメートルの厚みの塩化ビニール製のハウス上に、直径２０ミリメートルの円形の切り込みを入れたが、不連続部の長さを２ミリメートルにして、円形の対向位置に２箇所つけている。不連続部の長さは、本実施例では３ミリメートル以下で有効であったが、適切な長さは、材質や厚みによって異なる。また、切り込みの形は、円形以外の形も可能で、ミッキーマウスなどのキャラクターの形にしてもよい。
【００４３】  図１８は、請求項９の発明を説明するためのものである。ハウス１の上に被せた第２ハウス９が、特定の太陽光の波長を透過する材料で作られている例を示している。特定の波長を持つ光でハウス１の中を満たすことにより、植物の育苗時の成長を促進させたり、害虫から植物を守ったりすることができるようになる。例えば、塩化ビニール系やポリオレフィン系の近紫外線除去プラスチックで作った特殊なハウス材を用いると灰色かび病などの菌糸類の病気の発生を抑制することができ、さらにアブラムシ類、アザミウマ類、ナメクジ類の侵入を抑制することができる。これは、これらの虫は近紫外線領域に視覚があり、この領域の光がない所に近づかないからである。また、逆に、青色の半透明材料のブラスチックにして青色光を選択的に透過させると、イチゴなどのうどんこ病への抵抗性が高められる。
【００４４】  図１９及び２０は、請求項１０の発明を説明するためのものである。図１９には、遮光材１６が放射選線状に敷設されている植物栽培用のハウス１が示されている。育苗期に、遮光が必要な野菜に対して使用する。ハウス１は、１個でも使用できるが、２個を重ねる位置を変えながら使用すると、野菜への日照量をコントロールすることが出来る。
【００４５】  図２０は、換気孔２がつけられた植物栽培用のハウス１に、水玉模様に遮光材１６が敷設された第２ハウス９が載せられる様子を示したものである。遮光性をより高めたい時には、この第２ハウスの上にさらに遮光用ハウスを第３ハウスとして重ねてもよい。その場合は、載せた後に、第３ハウスのつまみを指でもって回転させることで、遮光量を調整できる。
また、アブラムシなどの害虫の中には、キラキラしたものに近寄ってこない性質があるので、光反射材を敷設することにより、虫避けの効果を得ることができる。
【符号の説明】
【００４６】１  ハウス
２  換気孔
３  作業孔
４  天頂孔
５  天頂窪み
６  鍔（つば）
７  湾曲梁
８  散水孔
９  第２ハウス
１０  切り込み
１１  内表面
１２  外表面
１３  つまみ
１４  凸部
１５  凹部
１６  遮光材
１７  支柱
１８  土
１９  野菜
【図１】
2020054324.tif 000003
【図２】
2020054324.tif 000004
【図３】
2020054324.tif 000005
【図４】
2020054324.tif 000006
【図５】
2020054324.tif 000007
【図６】
2020054324.tif 000008
【図７】
2020054324.tif 000009
【図８】
2020054324.tif 000010
【図９】
2020054324.tif 000011
【図１０】
2020054324.tif 000012
【図１１】
2020054324.tif 000013
【図１２】
2020054324.tif 000014
【図１３】
2020054324.tif 000015
【図１４】
2020054324.tif 000016
【図１５】
2020054324.tif 000017
【図１６】
2020054324.tif 000018
【図１７】
2020054324.tif 000019
【図１８】
2020054324.tif 000020
【図１９】
2020054324.tif 000021
【図２０】
2020054324.tif 000022